(57)【要約】【課題】見栄えを向上させ、かつパネル幅方向一側端部における上下端部に案内部材や走行部材が設けられる場合にもロック部材を操作する操作部の操作性を向上させ得るパネル装置を提供する。【解決手段】パネル装置１は、パネル本体１０のパネル幅方向一側端部に設けられた操作部２１と、前記操作部に一端側が連結され該操作部の操作によって上下動される上下に長尺な連結部材２７と、前記連結部材の他端側が配された前記パネル本体の上端部または下端部における前記連結部材よりもパネル幅方向中央側において上下方向に移動自在に配されたロック部材３５と、前記連結部材の他端部２９と前記ロック部材とを連結するように配され前記連結部材の上下動に連動させて前記ロック部材をロック位置と非ロック位置とに上下方向に変位させる連動機構４０と、を備えている。【選択図】図１
2015059403.tif 000002
【特許請求の範囲】
【請求項１】
パネル本体のパネル幅方向一側端部に設けられた操作部と、
前記操作部に一端側が連結され該操作部の操作によって上下動される上下に長尺な連結部材と、
前記連結部材の他端側が配された前記パネル本体の上端部または下端部における前記連結部材よりもパネル幅方向中央側において上下方向に移動自在に配されたロック部材と、
前記連結部材の他端部と前記ロック部材とを連結するように配され前記連結部材の上下動に連動させて前記ロック部材をロック位置と非ロック位置とに上下方向に変位させる連動機構と、
を備えていることを特徴とするパネル装置。
【請求項２】
請求項１において、
前記操作部は、前記パネル本体の厚さ方向一方面側に設けられた取手部に設けられていることを特徴とするパネル装置。
【請求項３】
請求項２において、
前記取手部は、前記パネル本体の厚さ方向一方面から凹む形状とされた凹状取手部とされ、前記操作部は、該凹状取手部の凹部内に位置するように設けられ上下に操作される構成とされていることを特徴とするパネル装置。
【請求項４】
請求項１乃至３のいずれか１項において、
前記ロック部材は、前記ロック位置への変位方向先側に配設され前記パネル本体の移動を阻止する受け部材に前記ロック位置において先端部が係止されるものであることを特徴とするパネル装置。
【請求項５】
請求項４において、
前記受け部材は、概ね上下方向に変位するストッパー片を備えた構成とされ、
前記ロック部材は、当該ロック部材及び前記受け部材のストッパー片の両方または一方に設けられた磁石によって引き寄せられるように当該ロック部材に向けて変位した前記ストッパー片に係止される構成とされていることを特徴とするパネル装置。
【発明の詳細な説明】
【技術分野】
【０００１】
本発明は、出入口を開閉する引戸や可動式の間仕切パネル等のパネル装置に関する。
【背景技術】
【０００２】
従来より、出入口を開閉する引戸や可動式の間仕切パネル等のパネル装置には、パネル本体の移動を阻止するためのストッパーや錠等のロック部材が設けられる。
例えば、引戸パネルの戸先側端部に戸先側端面から操作部の操作によって出没される鎌錠を埋め込み、戸先側の縦枠に鎌錠受けを埋め込んだ構成とされたものがあった。このようなものでは、戸先側端面において鎌錠が露出し、また、縦枠に鎌錠受けが露出し、見栄えが悪くなるという問題があった。
また、例えば、引戸の戸先側端部における下端面から出没されるロッド棒（錠部材、上落し棒）とこのロッド棒を上下動させる操作部とを設けた建具（引戸装置）が知られている（例えば、下記特許文献１〜３参照）。
【先行技術文献】
【特許文献】
【０００３】
【特許文献１】特開２０１２−９２５６４号公報
【特許文献２】特開２００８−１８００２５号公報
【特許文献３】特開２００４−３１６２９３号公報
【発明の概要】
【発明が解決しようとする課題】
【０００４】
ところで、上記のようなパネルのパネル幅方向両側端部における上下端部には、ランナー部材やガイドピン、戸車、キャスター等の案内部材や走行部材が設けられる場合がある。このような場合には、上記のように上下動されるロッド棒を、パネル幅方向一側端部に設け難くなるということが考えられた。また、このようなロッド棒や操作部をパネル幅方向中央側に寄った部位に設けることも考えられるが、その場合には、操作性が低下するということが考えられる。
【０００５】
本発明は、上記実情に鑑みてなされたものであり、見栄えを向上させ、かつパネル幅方向一側端部における上下端部に案内部材や走行部材が設けられる場合にもロック部材を操作する操作部の操作性を向上させ得るパネル装置を提供することを目的としている。
【課題を解決するための手段】
【０００６】
上記目的を達成するために、本発明に係るパネル装置は、パネル本体のパネル幅方向一側端部に設けられた操作部と、前記操作部に一端側が連結され該操作部の操作によって上下動される上下に長尺な連結部材と、前記連結部材の他端側が配された前記パネル本体の上端部または下端部における前記連結部材よりもパネル幅方向中央側において上下方向に移動自在に配されたロック部材と、前記連結部材の他端部と前記ロック部材とを連結するように配され前記連結部材の上下動に連動させて前記ロック部材をロック位置と非ロック位置とに上下方向に変位させる連動機構と、を備えていることを特徴とする。
【０００７】
本発明においては、前記操作部を、前記パネル本体の厚さ方向一方面側に設けられた取手部に設けてもよい。
また、本発明においては、前記取手部を、前記パネル本体の厚さ方向一方面から凹む形状とされた凹状取手部とし、前記操作部を、該凹状取手部の凹部内に位置させるように設け上下に操作される構成としてもよい。
また、本発明においては、前記ロック部材を、前記ロック位置への変位方向先側に配設され前記パネル本体の移動を阻止する受け部材に前記ロック位置において先端部が係止されるものとしてもよい。
また、本発明においては、前記受け部材を、概ね上下方向に変位するストッパー片を備えた構成とされたものとし、前記ロック部材を、当該ロック部材及び前記受け部材のストッパー片の両方または一方に設けられた磁石によって引き寄せられるように当該ロック部材に向けて変位した前記ストッパー片に係止される構成としてもよい。
【発明の効果】
【０００８】
本発明に係るパネル装置は、上述のような構成としたことで、見栄えを向上させ、かつパネル幅方向一側端部における上下端部に案内部材や走行部材が設けられる場合にもロック部材を操作する操作部の操作性を向上させることができる。
【図面の簡単な説明】
【０００９】
【図１】本発明の一実施形態に係るパネル装置の一例を模式的に示し、図３（ａ）におけるＸ１−Ｘ１線矢視に対応させた施錠状態を示す一部破断概略縦断面図である。
【図２】図１に対応させて解錠状態を示す一部破断概略縦断面図である。
【図３】（ａ）は、図４におけるＹ−Ｙ線矢視に対応させた一部破断概略縦断面図、（ｂ）は、（ａ）におけるＸ２−Ｘ２線矢視に対応させた一部破断概略背面図である。
【図４】同パネル装置を模式的に示す概略正面図である。
【図５】本発明の他の実施形態に係るパネル装置の一例を模式的に示し、図１に対応させた一部破断概略縦断面図である。
【図６】図５に対応させて解錠状態を示す一部破断概略縦断面図である。
【発明を実施するための形態】
【００１０】
以下に本発明の実施の形態について、図面に基づいて説明する。
なお、一部の図では、他図に付している詳細な符号の一部を省略している。
また、以下の各実施形態では、各実施形態に係るパネル装置を設置した状態を基準として、上下方向等の方向を説明する。
【００１１】
図１〜図４は、第１実施形態に係るパネル装置の一例を模式的に示す図である。
本実施形態に係るパネル装置１は、図４に示すように、略矩形平板状とされたパネル本体１０を備えている。本実施形態では、パネル装置１を、住居等の建物内に設けられた出入口を開閉する引戸装置１としている。
この引戸装置１は、内壁等に設けられた開口部に配設された戸先側縦枠２（図１参照）を含む戸枠等に建て付けられるものとしてもよい。
【００１２】
また、本実施形態では、引戸装置１を、パネル本体１０の下端部に戸車１９を設けた下荷重構造としている。また、パネル本体１０の下端部のパネル幅方向両側端部に戸車１９，１９を設けている。
これら戸車１９，１９は、互いに同様の構成とされており、パネル本体１０に埋め込まれるように配された戸車本体１９ｂ，１９ｂに、車輪１９ａ，１９ａをそれぞれに回動自在に保持させた構造とされている。
これら車輪１９ａ，１９ａは、パネル本体１０の厚さ方向（戸厚方向）に軸方向を沿わせた水平軸廻りに回動自在とされている。また、これら車輪１９ａ，１９ａは、戸厚方向中央部に、床側に配設された走行対象としての下レール３（図１参照）のガイド溝に係合し脱輪を抑制するための大径部を設けたいわゆるＹ戸車としてもよい（図３（ａ）参照）。
【００１３】
戸車本体１９ｂ，１９ｂは、図１及び図３（ａ）に示すように、ブロック状体とされており、パネル本体１０には、これら戸車本体１９ｂ，１９ｂを収容する戸車収容凹所１８，１８が設けられている。これら戸車収容凹所１８，１８は、パネル本体１０のパネル幅方向外方側及び下方側に向けて開口するように切欠状に形成されている。なお、これら戸車本体１９ｂ，１９ｂは、釘やねじ等の止具や、接着剤等によってパネル本体１０に固定するようにしてもよい。また、これら戸車１９，１９は、戸車本体１９ｂ，１９ｂに対する車輪１９ａ，１９ａの戸厚方向や上下方向への微調整が可能とされたものとしてもよい。
また、パネル本体１０の上端部に、鴨居や上レールのガイド溝等に挿入されて案内される案内部材としての上端ガイド部を設けるようにしてもよい。
【００１４】
また、パネル本体１０の厚さ方向両面１１，１３には、図１〜図３に示すように、当該パネル本体１０を移動させる際に手掛けされる取手部１２，１４がそれぞれに設けられている。これら厚さ方向一方面１１に設けられた一方面側取手部１２と厚さ方向他方面１３に設けられた他方面側取手部１４とは、戸厚方向に見て互いに重なり合う位置となるように設けられている。また、これら取手部１２，１４は、パネル本体１０のパネル幅方向一方側端部としての戸先側端部に設けられている。また、これら取手部１２，１４は、パネル本体１０の上下方向の途中部位に設けられている。これら取手部１２，１４を設ける高さ位置は、操作性等の観点から適宜の高さ位置としてもよく、例えば、成人の腰高さ付近等としてもよい。図例では、これら取手部１２，１４を、パネル本体１０の上下方向略中央部位に設けた例を示している（図４参照）。
【００１５】
また、本実施形態では、これら戸厚方向両側の取手部１２，１４を、パネル本体１０の厚さ方向両面１１，１３からそれぞれに凹む形状とされた凹状取手部１２，１４としている。パネル本体１０には、これら凹状取手部１２，１４が嵌め込まれるように取り付けられる厚さ方向に貫通する取付孔１５が設けられている。
これら凹状取手部１２，１４は、それぞれに戸厚方向に開口し、戸厚方向両側において手掛け部となる凹部としての手掛凹部１２ａ，１４ａを設けた構成とされている。また、図例では、これら凹状取手部１２，１４は、パネル本体１０の取付孔１５の戸厚方向両側の周縁部にそれぞれ当接される鍔状部を設けた構成とされている。
【００１６】
これら凹状取手部１２，１４は、図３（ａ）に示すように、それぞれの手掛凹部１２ａ，１４ａの底面（戸厚方向に向く面）を構成する底板状部間に隙間が形成されるように互いの底板状部を戸厚方向に対向させてパネル本体１０に取り付けられている。
なお、これら凹状取手部１２，１４は、上記同様の止具や、接着剤等によってパネル本体１０に固定するようにしてもよい。または、このような固定態様に代えて、若しくは加えて、凹状取手部１２，１４のそれぞれの対向側に戸厚方向に沿って互いに係合する係合部等を設け、これらを係合させてパネル本体１０に固定する態様としてもよい。
【００１７】
また、引戸装置１は、パネル本体１０のパネル幅方向一側端部（戸先側端部）に設けられた操作部２１と、この操作部２１に一端側が連結され操作部２１の操作によって上下動される上下に長尺な連結部材２７と、を備えている。また、引戸装置１は、この連結部材２７の他端側が配されたパネル本体１０の上端部または下端部における連結部材２７よりもパネル幅方向中央側において上下方向に移動自在に配されたロック部材３５を備えている。また、引戸装置１は、連結部材２７の他端部２９とロック部材３５とを連結するように配され連結部材２７の上下動に連動させてロック部材３５をロック位置と非ロック位置とに上下方向に変位させる連動機構４０を備えている。
【００１８】
操作部２１は、図１、図２及び図４に示すように、戸車１９の概ね直上に位置するように設けられている。
また、本実施形態では、操作部２１を、パネル本体１０の厚さ方向一方面１１側に設けられた一方面側取手部（凹状取手部）１２に設けている。また、操作部２１を、一方面側凹状取手部１２の手掛凹部１２ａ内に位置させるように設け上下に操作される構成としている。
また、本実施形態では、操作部２１を、上下に細長状とされた一方面側凹状取手部１２の手掛凹部１２ａ内の上側部位において上下に操作される摘み片状の操作部２１としている。また、図例では、この操作部２１を、戸厚方向において一方面側凹状取手部１２の戸厚方向外側面（表面）よりも戸厚方向外方側に突出しないように設けている。
【００１９】
また、一方面側凹状取手部１２の底板状部に、図１、図２及び図３（ａ）に示すように、この操作部２１の戸厚方向中央側部位を受け入れ、当該部位の上下動を許容する開口１２ｂを設けている。本実施形態では、この操作部２１の中央側部位を、一方面側凹状取手部１２の底板状部の裏面（他方面側凹状取手部１４の底板状部に対向する面）に沿うように設けられ、連結部材２７の一端部としての上端部２８に連結された一方側板状部２２に固定している。図１及び図２に示すように、この一方側板状部２２及び操作部２１によって一方面側凹状取手部１２の底板状部に設けられた開口１２ｂを覆う構成としている。また、一方側板状部２２には、連結部材２７の上端部２８に連結固定された固定片部２３が設けられている。図例では、上下に複数の固定片部２３，２３を設けた構成としている。
【００２０】
また、本実施形態では、当該操作部２１が設けられた側とは異なる側となる他方面側取手部（凹状取手部）１４に、非常操作部２６を設けている。また、本実施形態では、この非常操作部２６に隣接させて施錠状態であることを表示する表示部２５を設けている。つまり、本実施形態では、引戸装置１に、いわゆる表示錠を設けた構成としている。
これら表示部２５及び非常操作部２６は、他方面側凹状取手部１４の底板状部の裏面（一方面側凹状取手部１２の底板状部に対向する面）に沿うように設けられ、一方側板状部２２に固定されてこの一方側板状部２２とともに上下動される他方側板状部２４に設けられている。また、他方面側凹状取手部１４の底板状部に、これら表示部２５及び非常操作部２６を露出させる開口１４ｂを設けている。この開口１４ｂは、上記した一方面側凹状取手部１２の底板状部の開口１２ｂと戸厚方向に見て概ね重なり合う位置となるように設けられている。
【００２１】
表示部２５としては、例えば、他の部位とは異なる赤色等の着色等を施した態様としてもよい。図３（ｂ）では、このように他の部位とは異なる着色が施された表示部２５を、梨地状のハッチングを施して示している。
また、非常操作部２６を、戸厚方向に開口し、ペン先やピン等で操作可能とされた凹状の操作穴としている。なお、この非常操作部２６を、他方側板状部２４を貫通させた貫通孔としてもよい。
上記した凹状取手部１２，１４の底板状部間の隙間は、これら底板状部間に、一方側板状部２２及び他方側板状部２４並びにこれらの間に配された連結部材２７の上端部２８が配設可能なように形成されている。
【００２２】
また、これら操作部２１、一方側板状部２２及び他方側板状部２４を含んで操作ユニット２０を構成している。
この操作ユニット２０においては、図１及び図３に示すように、操作部２１を上方側に移動させ、ロック位置（施錠位置）とすれば、この操作部２１とともに連結部材２７が上方側に移動し、上方位置となる。また、このように操作部２１をロック位置とすれば、図３に示すように、他方側板状部２４も上方位置とされ、非常操作部２６が開口１４ｂ内の上側部位に位置し、その下方側において表示部２５が露出した状態となる。一方、図２に示すように、操作部２１を下方側に移動させ、非ロック位置（解錠位置）とすれば、この操作部２１とともに連結部材２７が下方側に移動し、下方位置となる。また、このように操作部２１を非ロック位置とすれば、図示を省略しているが、他方側板状部２４も下方位置とされ、非常操作部２６が開口１４ｂ内の下側部位に位置し、その下方側に隣接された表示部２５が他方面側凹状取手部１４の底板状部の裏側に位置して隠蔽された状態となる。また、非常操作部２６を上下動させることによっても上記同様に連結部材２７の上下動がなされる構成とされている。
【００２３】
連結部材２７は、図４に示すように、操作部２１近傍部位から当該連結部材２７の他端側が配されたパネル本体１０の上端部または下端部近傍部位に至るよう上下に長尺とされている。本実施形態では、この連結部材２７の他端側を、パネル本体１０の下端部に配している。
また、連結部材２７を、ロッド状（棒状）としている。この連結部材２７は、その上端部２８が操作部２１に連結固定され、操作部２１と概ねパネル幅方向同位置において下方側に向けて延びるように設けられている。つまり、この連結部材２７は、本実施形態では、後記する他端部としての下端部２９を除いて、戸車１９の概ね直上において上下に延びるように直線状に設けられている。
【００２４】
この連結部材２７の下端部２９は、図１及び図２に示すように、本実施形態では、戸厚方向に見て略Ｌ字状とされており、その一片部を、ロッド状とされた連結部材２７の他の部位（連結本体）の下端部に連結固定した例を示している。この下端部２９の他片部は、上記連結本体よりもパネル幅方向中央側に位置するように配される構成とされている。なお、このように別部材とされた下端部２９を連結部材２７に設けた態様に代えて、一体的とされたものとしてもよい。また、本実施形態では、連結部材２７の下端部２９を、戸車１９との干渉を回避するように形成した例を示しているが、連結部材２７を、下端部２９も含んで直線状とされたものとしてもよい。この場合は、後記する錠本体３０やロック部材３５、連動機構４０等を適宜、変形するようにしてもよい。
なお、この連結部材２７の上端部２８は、ねじ作用等によって連結部材２７の上記連結本体に対して上下に調整自在とされたものとしてもよい。
【００２５】
パネル本体１０には、この連結部材２７が挿通される挿通孔１６が設けられている。この挿通孔１６は、図１〜図３に示すように、ロック部材３５及び連動機構４０を備えた錠本体３０を収容するパネル本体１０の下端部に設けられた本体収容凹所１７と取付孔１５とを連通させるように上下方向に延びるように戸先側端部に設けられている。
本体収容凹所１７は、戸先側の戸車収容凹所１８のパネル幅方向中央側において下方側に向けて開口するように形成され、この戸先側の戸車収容凹所１８に連なるように形成されている。また、この本体収容凹所１７は、その上下方向に沿う深さ寸法が戸車収容凹所１８の上下方向に沿う深さ寸法よりも大きい寸法とされている。
【００２６】
錠本体３０は、連結部材２７の下端部２９、ロック部材３５及び連動機構４０を収容するケーシング状とされている。この錠本体３０は、その上下寸法が本体収容凹所１７の上記深さ寸法よりも小さい寸法とされており、本体収容凹所１７に収容されてパネル本体１０に取り付けられた状態で、その下端面がパネル本体１０の下端面よりも上方に位置する構成とされている。この錠本体３０の上下寸法は、パネル本体１０に取り付けられた状態で、後記する第２実施形態のように上吊構造とした場合に、その下方側にガイド溝１８Ａ（図５参照）が設けられるような寸法としてもよい。
【００２７】
また、錠本体３０の戸先側端部の上板部には、連結部材２７の下端側が挿通される挿通孔３１が設けられている。この錠本体３０の挿通孔３１は、パネル本体１０に設けられた挿通孔１６に整合するように設けられている。
また、錠本体３０には、連結部材２７の下端部２９の上下動をガイドする連結ガイド部３２とロック部材３５の上下動をガイドするロックガイド部３３とが設けられている。連結ガイド部３２は、挿通孔３１よりもパネル幅方向中央側に設けられ、ロックガイド部３３は、連結ガイド部３２よりもパネル幅方向中央側に設けられている。これら連結ガイド部３２及びロックガイド部３３は、連結部材２７の下端部２９（の他片部）及びロック部材３５の外周（四周）をそれぞれに囲むように設けられたガイド壁部とされている。
なお、錠本体３０は、釘やねじ等の止具や、接着剤等によってパネル本体１０に固定するようにしてもよい。図例では、錠本体３０のパネル幅方向両側端部に止具の受け部をそれぞれに設けた例を示している。
【００２８】
ロック部材３５は、連結部材２７の他端側が配されたパネル本体１０の上端部または下端部に配されている。本実施形態では、ロック部材３５を、パネル本体１０の下端部に設けている。
また、ロック部材３５は、パネル本体１０の高さ方向外方側に変位してロック位置とされる一方、パネル本体１０の高さ方向中央側に変位して非ロック位置とされる。
また、このロック部材３５は、その上下寸法がパネル幅方向及び厚さ方向に沿う寸法よりも大きく形成された上下に細長状とされている。また、このロック部材３５は、その上下寸法が上記した連結部材２７の下端部２９の他片部の上下寸法と概ね同寸法とされている。これらロック部材３５と連結部材２７の下端部２９の他片部とはパネル幅方向に間隔を空けて互いに略平行状に設けられている。
【００２９】
また、ロック部材３５は、パネル本体１０のパネル幅方向一側端部の上下端部に設けられる場合がある案内部材や走行部材にロック部材３５が干渉しないようにパネル幅方向中央側に位置するように設けるようにしてもよい。このような案内部材や走行部材としては、ランナー部材やガイドピン、戸車１９、キャスター等が挙げられるが、本実施形態では、上述のように、パネル本体１０の戸先側端部の下端部に戸車１９を設けている。つまり、本実施形態では、この戸車１９にロック部材３５が干渉しないようにこの戸車１９よりもパネル幅方向中央側に位置するようにロック部材３５を設けている。
【００３０】
また、本実施形態では、このロック部材３５を、ロック位置への変位方向先側に配設されパネル本体１０の移動を阻止する受け部材５にロック位置において先端部（下端部）３６が係止される構成としている。また、本実施形態では、受け部材５を、概ね上下方向に変位するストッパー片６を備えた構成としている。また、ロック部材３５を、当該ロック部材３５及び受け部材５のストッパー片６の両方または一方に設けられた磁石３８によって引き寄せられるように当該ロック部材３５に向けて変位したストッパー片６に係止される構成としている。
本実施形態では、ロック部材３５の先端部３６に、磁石３８を埋め込むように設け、受け部材５のストッパー片６を、ロック位置とされたロック部材３５の磁石３８の磁力によって吸引される金属等の強磁性体としている。なお、このような態様に代えて、または加えて、ストッパー片６に磁石を設けるようにしてもよい。
【００３１】
また、図例では、受け部材５のストッパー片６を、吸引されていない状態（自然状態、図２に示す状態）において厚さ方向を上下方向に沿わせて配される板状としている。また、このストッパー片６を、反戸先縦枠側の端部となる一端部を回動支点として戸先側縦枠２側の端部となる他端部側が受け部材５の本体に対して上方側に向けて移動するように回動する構成としている。このストッパー片６は、図１に示すように、ロック位置とされたロック部材３５の磁石３８に吸引されてその他端部側が上方側に変位し、ロック部材３５の先端部３６の被係止部３７に係止する。また、ストッパー片６は、このように被係止部３７に係止した状態では、回動支点となる一端部側から他端部側に向かうに従い登るように傾斜した状態となり、ロック位置とされる。また、図例では、ストッパー片６を、その他端部側がロック位置において錠本体３０の下方側の本体収容凹所１７内に受け入れられる構成としている。一方、ストッパー片６は、図２に示すように、ロック部材３５を非ロック位置とすれば、ストッパー片６の他端部側がその自重によって下方側に変位し、ロック部材３５との係止が解除されて上記自然状態となり、非ロック位置とされる。
【００３２】
なお、受け部材５は、図１及び図２に示すように、当該引戸装置１が上記出入口を閉鎖した状態（パネル本体１０の戸先側端部を戸先側縦枠２に当接させた状態）でパネル本体１０に設けられたロック部材３５を係止し得るよう適宜の位置に設けるようにしてもよい。つまり、当該引戸装置１が上記出入口を閉鎖した状態でパネル本体１０のロック部材３５の概ね直下に位置するように受け部材５を設けるようにしてもよい。
また、この受け部材５及びストッパー片６を、下レール３に沿ってパネル幅方向に移動するパネル本体１０の戸車１９の車輪１９ａに干渉しないように設けるようにしてもよい。例えば、ストッパー片６を、下レール３のガイド溝の両側または一方側に設けたり、車輪１９ａに干渉しないように溝底に設けたりしてもよい。
【００３３】
ロック部材３５の先端部３６に設けられた被係止部３７は、上記構成とされたストッパー片６が係止する構成とされている。本実施形態では、被係止部３７を、ロック部材３５の先端部３６の戸尻側部位を切り欠いたような被係止凹部３７としている。当該引戸装置１が閉鎖状態で、ロック部材３５の被係止凹部３７を区画する戸尻側に向く面に、ロック位置とされたストッパー片６の先端が当接し、係止する。これにより、当該引戸装置１（パネル本体１０）は、その戸尻側（開放側）へのパネル幅方向に沿う移動が阻止され、また、戸先側（閉鎖側）へのパネル幅方向に沿う移動は戸先側縦枠２によって阻止され、施錠状態とされる。
【００３４】
また、本実施形態では、ロック部材３５は、図１に示すように、ロック位置において当該ロック部材３５が配されたパネル本体１０の上端部または下端部（本実施形態では、下端部）側の端面から略突出しない構成とされている。図例では、ロック位置とされたロック部材３５の先端面（下端面）とパネル本体１０の下端面とが略同一平面状となる構成としている。
また、ロック部材３５は、図２に示すように、非ロック位置では、錠本体３０の下端面よりも下方側に突出しない構成とされている。図例では、非ロック位置とされたロック部材３５の下端面と錠本体３０の下端面とが略同一平面状となる構成としている。つまり、ロック部材３５は、ロック位置において、錠本体３０の下端面から下方側に向けて突出した状態となる。
【００３５】
なお、ロック部材３５の被係止部３７としては、上記のような態様に限られず、受け部材５のストッパー片６の態様等に応じて、種々の変形が可能である。例えば、被係止部３７を、上下方向に進退するピン状のストッパー片を受け入れる下向き開口の被係止凹部としてもよい。または、このような凹部形状の被係止部を設けずに、筒状（柱状）のロック部材３５の先端部３６自体をストッパー片に当接される被係止部３７として把握するようにしてもよい。
【００３６】
連動機構４０は、本実施形態では、連結部材２７の上下動に連動させてロック部材３５を上下方向に変位させるリンク状機構４０とされている。このリンク状機構４０は、軸方向を戸厚方向に沿わせたアーム軸４２廻りに回動自在に錠本体３０に設けられたリンクアーム４１を備えている。このリンクアーム４１は、厚さ方向を戸厚方向に沿わせ、長手方向を概ねパネル幅方向に沿わせた細長板状部材とされている。
また、リンクアーム４１のアーム軸４２は、パネル幅方向において連結部材２７の下端部２９とロック部材３５との間に位置するように設けられている。
また、リンクアーム４１は、その一端部が連結部材２７の下端部２９に回動自在に連結され、その他端部がロック部材３５の基端部（上端部）３９に回動自在に連結されている。
【００３７】
このリンクアーム４１は、図１に示すように、ロック部材３５がロック位置において、連結部材２７の下端部２９との連結部となる一端部側がロック部材３５の基端部３９との連結部となる他端部側よりも上方側に位置するように斜め状に配される構成とされている。一方、リンクアーム４１は、図２に示すように、ロック部材３５が非ロック位置において、連結部材２７の下端部２９との連結部となる一端部側がロック部材３５の基端部３９との連結部となる他端部側よりも下方側に位置するように斜め状に配される構成とされている。
また、本実施形態では、当該リンクアーム４１と連結部材２７の下端部２９との連結部からアーム軸４２までのアーム長手方向に沿う寸法よりも、当該リンクアーム４１とロック部材３５との連結部からアーム軸４２までのアーム長手方向に沿う寸法を大きい寸法としている。このような構成とすれば、施解錠に必要となる操作部２１の上下方向への操作寸法よりもロック部材３５の上下方向への変位寸法を効果的に大きくすることができ、操作性を向上させることができる。
【００３８】
これらリンクアーム４１の両端部と連結部材２７の下端部２９及びロック部材３５との連結部は、リンクアーム４１のアーム軸４２廻りの回動に伴い連結部材２７及びロック部材３５が上下動可能となるように構成されている。
図例では、軸方向を戸厚方向に沿わせたリンクアーム４１の一端部に設けられた連結部材側軸４３が挿通される連結部材２７の下端部２９の挿通孔２９ａを、パネル幅方向に長径の長孔としている。また、軸方向を戸厚方向に沿わせたリンクアーム４１の他端部に設けられたロック部材側軸４４が挿通されるロック部材３５の基端部３９の挿通孔３９ａを、パネル幅方向に長径の長孔としている。なお、このような態様に代えて、リンクアーム４１の長手方向両端部に長孔を設け、連結部材２７の下端部２９及びロック部材３５の基端部３９に、リンクアーム４１の両長孔のそれぞれに挿通される軸を設けたような態様等としてもよい。
【００３９】
上記のような構成により、操作部２１を上方側に移動させて連結部材２７を上方側に移動させれば、リンクアーム４１がアーム軸４２廻りに回動し、連結部材２７の下端部２９との連結部となるリンクアーム４１の一端部側が上方側に移動する。これに伴ってロック部材３５の基端部３９との連結部となるリンクアーム４１の他端部側が下方側に移動し、ロック部材３５が下方側に移動してロック位置とされる（図１参照）。一方、上記とは逆に、操作部２１を下方側に移動させて連結部材２７を下方側に移動させれば、リンクアーム４１がアーム軸４２廻りに回動し、連結部材２７の下端部２９との連結部となるリンクアーム４１の一端部側が下方側に移動する。これに伴ってロック部材３５の基端部３９との連結部となるリンクアーム４１の他端部側が上方側に移動し、ロック部材３５が上方側に移動して非ロック位置とされる（図２参照）。つまり、本実施形態では、連動機構４０は、操作部２１（連結部材２７）とロック部材３５とを上下方向逆側に移動させる構成とされている。
【００４０】
また、本実施形態では、ロック位置及び非ロック位置とされた操作部２１（ロック部材３５）をロック位置及び非ロック位置に維持するように付勢する付勢部材３４を設けている。図例では、この付勢部材３４を、一方のアーム端３４ａが錠本体３０に回動自在に連結され、他方のアーム端３４ｂが連結部材２７の下端部２９に回動自在に連結された単一のねじりコイルばね（トーションばね）としている。
この付勢部材３４は、図１に示すように、ロック位置とされた操作部２１（ロック部材３５）をロック位置に維持するように、連結部材２７の下端部２９を上方側（図例では、斜め戸尻側の上方側）に押し上げるように付勢する構成とされている。また、付勢部材３４は、図２に示すように、非ロック位置とされた操作部２１（ロック部材３５）を非ロック位置に維持するように、連結部材２７の下端部２９を下方側（図例では、斜め戸尻側の下方側）に押し下げるように付勢する構成とされている。
【００４１】
つまり、この付勢部材３４は、操作部２１（ロック部材３５）がロック位置では、連結部材２７の下端部２９に連結された他方のアーム端３４ｂが錠本体３０に連結された一方のアーム端３４ａよりも上方側に位置するように配される構成とされている。一方、付勢部材３４は、操作部２１（ロック部材３５）が非ロック位置では、連結部材２７の下端部２９に連結された他方のアーム端３４ｂが錠本体３０に連結された一方のアーム端３４ａよりも下方側に位置するように配される構成とされている。
なお、この付勢部材３４は、ロック位置及び非ロック位置へ操作される操作部２１を操作する際に、節度感（クリック感）を付与し得る構成とされたものとしてもよい。
【００４２】
また、ロック位置及び非ロック位置とされた操作部２１（ロック部材３５）をロック位置及び非ロック位置に維持するように付勢する付勢部材３４としては、上記した例に限られず、種々の態様とされた付勢部材３４の採用が可能である。例えば、板ばね等としてもよく、ロック位置及び非ロック位置とされた操作部２１（ロック部材３５）をロック位置及び非ロック位置に維持するようにそれぞれに付勢する二つの付勢部材を設けたような態様としてもよい。また、連結部材２７の下端部２９を付勢する付勢部材３４を設けた態様に代えて、または加えて、操作部２１（操作ユニット２０）やロック部材３５、連動機構４０を付勢する付勢部材を設けた態様等としてもよい。また、操作部２１（操作ユニット２０）や連結部材２７の自重によって、操作部２１（ロック部材３５）がロック位置及び非ロック位置のうちのいずれか一方側に維持されるものとしてもよい。例えば、本実施形態では、操作部２１（操作ユニット２０）や連結部材２７の自重によって、操作部２１（ロック部材３５）が非ロック位置に維持されるものとしてもよい。さらには、上記態様に代えて、操作部２１（操作ユニット２０）や連結部材２７、ロック部材３５と、これらの当接対象と、の摩擦抵抗等によって操作部２１（ロック部材３５）がロック位置及び非ロック位置の両方または一方に維持されるような態様としてもよい。
【００４３】
本実施形態に係るパネル装置（引戸装置）１は、上述のような構成としたことで、見栄えを向上させ、かつパネル幅方向一側端部における上下端部に案内部材や走行部材１９が設けられる場合にもロック部材３５を操作する操作部２１の操作性を向上させることができる。
つまり、操作部２１の操作によって上下動される連結部材２７の上下動に連動されてロック位置と非ロック位置とにパネル本体１０の上端部または下端部において上下方向に変位されるロック部材３５を設けている。従って、ロック部材３５をロック位置とすることで、パネル本体１０の移動を阻止することができる。また、このようなロック機能を有しながらも、戸先側端面において鎌錠が露出したり、戸先側縦枠２に鎌錠受けが露出したりするようなことがなく、見栄えを向上させることができる。これにより、本実施形態のように、パネル装置を引戸装置１とした場合には、パネル本体１０の戸先側端面に対向される戸先側縦枠２を、錠の有無に関わらず、同一部材とすることができる。
【００４４】
また、ロック部材３５を、連結部材２７の他端側が配されたパネル本体１０の上端部または下端部における連結部材２７よりもパネル幅方向中央側において上下方向に移動自在に配している。また、パネル本体１０のパネル幅方向一側端部に設けられた操作部２１に一端側が連結された連結部材２７の他端部２９とロック部材３５とを連結するように配され連結部材２７の上下動に連動させてロック部材３５を上下方向に変位させる連動機構４０を設けている。従って、パネル幅方向一側端部における上下端部に案内部材や走行部材１９が設けられる場合にもロック部材３５を操作する操作部２１の操作性を向上させることができる。つまり、パネル幅方向一側端部における上下端部に案内部材や走行部材１９が設けられる場合にも、パネル幅方向中央側に配されたロック部材３５を変位させる連動機構４０を設けることで、パネル本体１０のパネル幅方向一側端部の操作性の良い位置に操作部２１を設けることができる。また、ロック部材３５を設けながらも、パネル本体１０の上下端部の案内部材や走行部材１９を、パネル幅方向の側端部に設けることができ、例えば、これらをパネル幅方向中央側に設けたものと比べて、移動の安定性を向上させることができる。
【００４５】
また、本実施形態では、パネル本体１０の取手部１２にロック部材３５を操作する操作部２１を設けている。従って、引戸装置１を移動させる際に手掛け等される部位に操作部２１が位置することとなり、操作性をより向上させることができる。また、例えば、取手部１２の上方側や下方側等の別部位に操作部２１を設けたようなものと比べて、操作部２１を目立ち難くすることができ、見栄えをより向上させることができる。
【００４６】
また、本実施形態では、取手部１２を、パネル本体１０の厚さ方向一方面１１から凹む形状とされた凹状取手部１２とし、操作部２１を、凹状取手部１２の凹部（手掛凹部）１２ａ内に位置するように設けている。従って、操作部２１をより目立ち難くすることができる。また、例えば、バー状の把持部のパネル本体側に設けられる台座部等に操作部２１を設けたようなものと比べて、操作性を向上させることができる。また、操作部２１を、上下に操作される構成としているので、操作性をより向上させることができ、また、当該操作部２１の操作によって上下動される連結部材２７の一端側との連結構造の簡略化を図ることができる。
【００４７】
また、本実施形態では、ロック部材３５を、ロック位置への変位方向先側に配設されパネル本体１０の移動を阻止する受け部材５にロック位置において先端部３６が係止されるものとしている。従って、例えば、先端にゴム等の当接対象に圧接される部位を設けたようなロック部材と比べて、より確実にパネル本体１０の移動を阻止することができる。
【００４８】
また、本実施形態では、ロック部材３５を、当該ロック部材３５及び受け部材５のストッパー片６の両方または一方に設けられた磁石３８によって引き寄せられるように当該ロック部材３５に向けて変位したストッパー片６に係止される構成としている。従って、ロック位置とされたロック部材３５の先側に配されたストッパー片６がロック部材３５に向けて変位し、このストッパー片６によってパネル本体１０の移動を阻止することができる。また、受け部材５のストッパー片６が概ね上下方向に変位するので、本実施形態のように、ロック部材３５を、ロック位置において、ロック部材３５が配されたパネル本体１０の上端部または下端部側の端面から略突出しない構成とすることができる。つまり、ロック位置におけるロック部材３５の先側への突出量を小さくすることができる。これにより、誤操作等によってロック位置やロック位置に近い状態とされた状態でパネル本体１０の移動がなされるような場合にも、ロック部材３５がその先側の部材に接触し難くなり、ロック部材３５等の損傷等を抑制することができる。
【００４９】
なお、本実施形態では、パネル装置（引戸装置）１を下荷重構造とし、パネル本体１０の下端部に、下レール３に係合する車輪１９ａ，１９ａを有した走行部材としての戸車１９，１９を設けた例を示しているが、このような態様に限られない。例えば、パネル本体１０の下端部に床上を走行自在とされたキャスター等を走行部材として設けた態様としてもよい。
また、本実施形態では、パネル本体１０の他方面側取手部１４を凹状取手部１４とした例を示しているが、厚さ方向に突出するように設けられた把持部を有した取手部としてもよい。また、本実施形態では、他方面側取手部１４に、表示部２５及び非常操作部２６を設けた例を示しているが、これらのうちの両方または一方を設けないようにしてもよい。
【００５０】
次に、本発明の他の実施形態に係るパネル装置の一例について説明する。
図５及び図６は、第２実施形態に係るパネル装置の一例を模式的に示す図である。
なお、第１実施形態との相違点について主に説明し、同様の構成については、同一符号を付し、その説明を省略または簡略に説明する。
【００５１】
本実施形態に係るパネル装置１Ａは、パネル本体１０Ａの取手部１２Ａ、操作ユニット２０Ａ及び連動機構４５の構成が上記第１実施形態とは主に異なる。また、本実施形態では、上吊構造とされた引戸装置１Ａを例示しており、パネル本体１０Ａの下端部に、戸車収容凹所１８及び戸車１９を設けずに、下方側に向けて開口し、パネル幅方向に沿って延びるガイド溝１８Ａを設けた構成としている。このガイド溝１８Ａに、図示を省略しているが、パネル本体１０Ａの下方側に配されたガイドピンが挿入され、パネル本体１０Ａの下端側の戸厚方向への振れが抑制される構成とされている。また、図示を省略しているが、パネル本体１０Ａの上端部には、適宜、パネル本体１０Ａの上方側に配される上レールに支持され、該上レールに沿って走行する走行部材としてのランナー部材が設けられている。
また、上記同様、連結部材２７の他端側及びロック部材３５Ａを、パネル本体１０Ａの下端部に配している。また、図例では、上記と概ね同様の受け部材５Ａを、床４上に設けた例を示している。
【００５２】
また、パネル本体１０Ａの厚さ方向一方面１１に設けられた一方面側取手部１２Ａは、上記と概ね同様、凹状取手部１２Ａとされている。本実施形態では、この凹状取手部１２Ａの手掛凹部１２Ａａの上下端部に、一方側を上下方向に沿って押し込み略隠蔽状態とすれば、他方側が手掛凹部１２Ａａ内に露出する構成とされた一対の操作部２１Ａ，２１Ｂを設けた構成としている。つまり、図５に示すように、一方側（図示下方側）の操作部２１Ａが下方側に押し込まれ、略隠蔽状態とされれば、他方側（図示上方側）の操作部２１Ｂが手掛凹部１２Ａａ内の上方側部位において露出する構成とされている。一方、図６に示すように、他方側（図示上方側）の操作部２１Ｂが上方側に押し込まれ、略隠蔽状態とされれば、一方側（図示下方側）の操作部２１Ａが手掛凹部１２Ａａ内の下方側部位において露出する構成とされている。
【００５３】
これら一対の操作部２１Ａ，２１Ｂは、図示を省略しているが、手掛凹部１２Ａａの底面を構成する底板状部の裏面側に沿うように設けられた上記同様の一方側板状部の上下端部に設けられている。これら操作部２１Ａ，２１Ｂを上下に操作することで、上記同様、連結部材２７が上下動する構成とされている。なお、手掛凹部１２Ａａの上下の壁部には、これら上下一対の操作部２１Ａ，２１Ｂをそれぞれに受け入れる開口１２Ａｂ，１２Ａｂが設けられている。
このような構成とすれば、上記第１実施形態と比べて、操作部２１Ａ，２１Ｂをより目立ち難くすることができ、また、操作性を向上させることができる。また、一方面側凹状取手部１２Ａの手掛凹部１２Ａａへの手掛性を向上させることもできる。
なお、パネル本体１０Ａの厚さ方向他方面側の取手部の図示を両略しているが、この他方面側取手部に、上記同様の表示部２５や非常操作部２６を設けるようにしてもよい。
【００５４】
また、本実施形態では、錠本体３０Ａ内に設けられた連動機構４５を、連結部材２７の下端部２９Ａの上下動に連動させて、ロック部材３５Ａを上下方向に変位させる歯車機構４５としている。また、連結部材２７の下端部２９Ａとロック部材３５Ａとの間に、それぞれの軸方向を戸厚方向に沿わせた複数（図例では、２つ）の歯車（平歯車）４６，４７を介在させた構成としている。
連結部材２７の下端部２９Ａには、この下端部２９Ａ側に設けられた第１歯車４６に噛み合うラック部２９ｂが設けられている。ロック部材３５Ａの基端部３９Ａには、ロック部材３５Ａ側に設けられた第２歯車４７に噛み合うラック部３９ｂが設けられている。これら連結部材２７の下端部２９Ａのラック部２９ｂ及びロック部材３５Ａのラック部３９ｂは、パネル幅方向に間隔を空けて対向状に設けられている。
【００５５】
また、本実施形態では、連動機構４５を、第１実施形態と同様、施解錠に必要となる操作部２１Ａ，２１Ｂの上下方向への操作寸法よりもロック部材３５Ａの上下方向への変位寸法が大きくなるように構成している。このような構成とすれば、第１実施形態と同様、操作性を向上させることができる。図例では、第２歯車４７を、大径歯車部とこれよりも小径の小径歯車部とを同軸状に設けた構造とし、この小径歯車部を第１歯車４６に噛み合わせ、大径歯車部をロック部材３５Ａのラック部３９ｂに噛み合わせた構成としている。
【００５６】
上記のような構成により、操作部（下方側操作部）２１Ａを下方側に移動させて連結部材２７を下方側に移動させれば、第１歯車４６及び第２歯車４７が互いに逆方向に回転し、これに伴ってロック部材３５Ａが下方側に移動してロック位置とされる（図５参照）。つまり、下方側の操作部２１Ａは、施錠操作部２１Ａとなる。
一方、上記とは逆に、操作部（上方側操作部）２１Ｂを上方側に移動させて連結部材２７を上方側に移動させれば、第１歯車４６及び第２歯車４７が互いに逆方向に回転し、これに伴ってロック部材３５Ａが上方側に移動して非ロック位置とされる（図６参照）。つまり、上方側の操作部２１Ｂは、解錠操作部２１Ｂとなる。
つまりは、本実施形態では、連動機構４５は、操作部２１Ａ，２１Ｂ（連結部材２７）とロック部材３５Ａとを上下同方向に移動させる構成とされている。
なお、このような態様に代えて、例えば、連結部材２７の下端部２９Ａとロック部材３５Ａとの間に介在させる歯車数を、奇数等とすることで、操作部２１Ａ，２１Ｂ（連結部材２７）とロック部材３５Ａとを上下方向逆側に移動させる構成としてもよい。
【００５７】
また、本実施形態においても、ロック位置及び非ロック位置とされた操作部２１Ａ，２１Ｂ（ロック部材３５Ａ）をロック位置及び非ロック位置に維持するように付勢する付勢部材３４Ａを設けている。本実施形態では、上記のように操作部２１Ａ，２１Ｂ（連結部材２７）とロック部材３５Ａとが上下同方向に移動する構成とされているので、上記第１実施形態とは付勢部材３４Ａの配設位置を異ならせている。
この付勢部材３４Ａは、図５に示すように、ロック位置とされた操作部２１Ａ，２１Ｂ（ロック部材３５Ａ）をロック位置に維持するように、連結部材２７の下端部２９Ａを下方側（図例では、斜め戸先側の下方側）に押し下げるように付勢する構成とされている。また、付勢部材３４Ａは、図６に示すように、非ロック位置とされた操作部２１Ａ，２１Ｂ（ロック部材３５Ａ）を非ロック位置に維持するように、連結部材２７の下端部２９Ａを上方側（図例では、斜め戸先側の上方側）に押し上げるように付勢する構成とされている。なお、操作部２１Ａ，２１Ｂ（ロック部材３５Ａ）をロック位置及び非ロック位置の両方または一方に維持する構成としては、上記したように種々の態様の採用が可能である。
【００５８】
上記構成とされた本実施形態に係るパネル装置（引戸装置）１Ａにおいても、上記第１実施形態に係るパネル装置（引戸装置）１と略同様の効果を奏する。
なお、上記各実施形態において説明した互いに異なる構成等を、適宜、組み替えたり、組み合わせたりして、適用するようにしてもよい。この場合は、必要に応じて適宜、変形するようにしてもよい。
また、上記各実施形態では、連結部材２７の他端側及びロック部材３５，３５Ａを、パネル本体１０，１０Ａの下端部に配した例を示しているが、連結部材２７の他端側及びロック部材３５，３５Ａを、パネル本体１０，１０Ａの上端部に配した構成としてもよい。
【００５９】
また、上記各実施形態では、連結部材２７の上下動に連動させて、ロック部材３５，３５Ａを上下方向に変位させる連動機構の一例として、リンク状機構４０及び歯車機構４５を例示しているが、このような態様に限られない。例えば、プーリーやスプロケット等の回転車とこれに巻き掛けられるベルトやチェーン等の無端状伝導体とを備えた伝動機構や、カム機構等を連動機構として設けるようにしてもよい。さらには、連結部材２７の他端部２９，２９Ａとロック部材３５，３５Ａとを連結し、これらとともに上下動する連結アームを連動機構として設けるようにしてもよい。その他、連動機構４０，４５としては、連結部材２７の他端部２９，２９Ａとロック部材３５，３５Ａとを連結するように配され連結部材２７の上下動に連動させてロック部材３５，３５Ａをロック位置と非ロック位置とに上下方向に変位させるものであればよい。
【００６０】
また、上記各実施形態では、操作部２１，２１Ａ，２１Ｂを、凹状取手部１２，１２Ａの手掛凹部１２ａ，１２Ａａ内に位置するように設けられ上下に操作される構成とされたものとしているが、このような態様に限られない。例えば、パネル本体１０，１０Ａの厚さ方向一方面１１から突出するような取手部とし、その取手部の台座部等に、操作部を設けた態様としてもよい。さらには、取手部に操作部を設けた態様に代えて、取手部の上下に隣接する部位等に操作部を設けた態様としてもよい。また、上下に操作される操作部に限られず、回動操作等される操作部としてもよい。
【００６１】
また、上記各実施形態では、ロック部材３５，３５Ａを、磁石３８によって引き寄せられるようにロック部材３５，３５Ａに向けて変位した受け部材５，５Ａのストッパー片６に係止される構成とした例を示しているが、このような態様に限られない。例えば、受け部材５，５Ａに、ロック位置とされたロック部材３５，３５Ａの先端部３６を受け入れてパネル本体１０，１０Ａの移動を阻止する上下方向に開口する係止凹部を設けた構成としてもよい。
さらには、このようにロック部材３５，３５Ａを、ロック位置への変位方向先側に配設されパネル本体１０，１０Ａの移動を阻止する受け部材５，５Ａにロック位置において先端部３６が係止される構成とした態様に限られない。例えば、ロック部材３５，３５Ａの先端部にゴム等の摩擦抵抗部を設け、この先端部を、ロック位置において当接対象（上下のレールや、天井、床等）に圧接させることで、パネル本体１０，１０Ａの移動の阻止がなされるものとしてもよい。つまり、ロック部材３５，３５Ａを、いわゆるストッパーとして機能させる構成としてもよい。
また、上記各実施形態では、パネル装置を、引戸装置１，１Ａとした例を示しているが、住居等の建物内の空間を間仕切る間仕切装置１，１Ａとしてもよい。
【符号の説明】
【００６２】
１，１Ａ          引戸装置（パネル装置）
１０，１０Ａ      パネル本体
１１              厚さ方向一方面
１２，１２Ａ      一方面側凹状取手部（取手部）
１２ａ，１２Ａａ  手掛凹部（凹部）
２１              操作部
２１Ａ            施錠操作部（操作部）
２１Ｂ            解錠操作部（操作部）
２７              連結部材
２９，２９Ａ      他端部
３５，３５Ａ      ロック部材
３６              先端部
３８              磁石
４０              リンク状機構（連動機構）
４５              歯車機構（連動機構）
５，５Ａ          受け部材
６                ストッパー片
【図１】
2015059403.tif 000003
【図２】
2015059403.tif 000004
【図３】
2015059403.tif 000005
【図４】
2015059403.tif 000006
【図５】
2015059403.tif 000007
【図６】
2015059403.tif 000008